(57)【要約】【課題】移動体通信を行っている状態で、物理的な構成を変更することなく、移動体通信の通信規約とは異なる通信規約で通信する機器にも情報を伝送する。【解決手段】移動体端末１０と、基地局２０と、移動体端末１０と基地局２０との間で通信される信号を中継する中継手段を含む中継装置３０と、を含む無線通信システム１であって、中継装置３０は、移動体端末１０と基地局２０との少なくとも一方から移動体通信用の通信規約に基づいて送信される信号を受信する信号受信手段と、信号受信手段により受信した信号に従って、中継装置３０が接続する機器に信号を転送する信号転送手段と、信号受信手段により受信した信号に応じて、当該信号を、中継手段により中継する又は／及び信号転送手段により転送する、ことを決定する処理決定手段と、を含む無線通信システム。【選択図】図１
2007174502.tif 000002
【特許請求の範囲】
【請求項１】
移動体端末と、基地局と、前記移動体端末と前記基地局との間で通信される信号を中継する中継手段を含む中継装置と、を含む無線通信システムであって、
前記中継装置は、
前記移動体端末と前記基地局との少なくとも一方から移動体通信用の通信規約に基づいて送信される信号を受信する信号受信手段と、
前記信号受信手段により受信した信号に従って、前記中継装置が接続する機器に信号を転送する信号転送手段と、
前記信号受信手段により受信した信号に応じて、当該信号を、前記中継手段により中継する又は／及び前記信号転送手段により転送する、ことを決定する処理決定手段と、
を含むことを特徴とする無線通信システム。
【請求項２】
請求項１に記載の無線通信システムであって、
前記中継装置は、
前記信号受信手段により受信した信号を、前記機器に応じた通信規約に基づいて変換する信号変換手段をさらに含み、
前記信号転送手段は、前記信号変換手段により変換した信号を前記機器に転送する
ことを特徴とする無線通信システム。
【請求項３】
請求項１又は２に記載の無線通信システムであって、
前記移動体端末と前記基地局のうち少なくとも一方は、
前記送信される信号に、当該信号を、前記中継手段により中継する又は／及び前記信号転送手段により転送する、ことを指定する処理指定情報を付加する手段をさらに含み、
前記処理決定手段は、前記信号受信手段により受信した信号に付加された処理指定情報に基づいて、当該信号を、前記中継手段により中継する又は／及び前記信号転送手段により転送する、ことを決定する
ことを特徴とする無線通信システム。
【請求項４】
移動体端末と基地局との間で通信される信号を中継する中継手段を含む中継装置であって、
前記移動体端末と前記基地局との少なくとも一方から移動体通信用の通信規約に基づいて送信される信号を受信する信号受信手段と、
前記信号受信手段により受信した信号に従って、前記中継装置が接続する機器に信号を転送する信号転送手段と、
前記信号受信手段により受信した信号に応じて、当該信号を、前記中継手段により中継する又は／及び前記信号転送手段により転送する、ことを決定する処理決定手段と、
を含むことを特徴とする中継装置。
【請求項５】
移動体端末と基地局との間で通信される信号を中継する中継ステップを含むコンピュータの制御方法であって、
前記移動体端末と前記基地局との少なくとも一方から移動体通信用の通信規約に基づいて送信される信号を受信する信号受信ステップと、
前記信号受信ステップにより受信した信号に従って、前記中継装置が接続する機器に信号を転送する信号転送ステップと、
前記信号受信ステップにより受信した信号に応じて、当該信号を、前記中継ステップにより中継する又は／及び前記信号転送ステップにより転送する、ことを決定する処理決定ステップと、
を含むことを特徴とするコンピュータの制御方法。
【請求項６】
移動体端末と基地局との間で通信される信号を中継する中継手段を含むコンピュータを機能させるためのプログラムであって、
前記移動体端末と前記基地局との少なくとも一方から移動体通信用の通信規約に基づいて送信される信号を受信する信号受信手段、
前記信号受信手段により受信した信号に従って、前記中継装置が接続する機器に信号を転送する信号転送手段、及び、
前記信号受信手段により受信した信号に応じて、当該信号を、前記中継手段により中継する又は／及び前記信号転送手段により転送する、ことを決定する処理決定手段、
としてコンピュータを機能させるためのプログラム。 
【発明の詳細な説明】
【技術分野】
【０００１】
本発明は、移動体端末と基地局と中継装置とを含む無線通信システムにおいて、特に中継装置の信号を処理する技術に関する。
【背景技術】
【０００２】
近年では、無線によるデータ通信を利用することが一般的になってきている。例えば、パーソナルコンピュータのＰＣＭＣＩＡのカードスロットに、無線ＬＡＮカードを挿してイントラネットのネットワークに接続したり、カードスロットに携帯電話やＰＨＳ等の移動体通信カードを挿してインターネットに接続したりすることがある。
【発明の開示】
【発明が解決しようとする課題】
【０００３】
しかしながら、従来の技術では、例えばパーソナルコンピュータにカードスロットが１つしかなく、無線ＬＡＮカードか移動体通信カードのどちらか一方しか一時に利用することができないといった場合に、移動体通信カードによる通信をしている状態で、イントラネット上のネットワークプリンタを利用する際には、移動体通信カードから無線ＬＡＮカードに差し替えねばならず面倒であった。
【０００４】
本発明は上記の問題に鑑みてなされたものであって、その目的は、移動体通信を行っている状態で、物理的な構成を変更することなく、移動体通信の通信規約とは異なる通信規約で通信する機器にも情報を伝送することができる無線通信システム、中継装置、コンピュータの制御方法及びプログラムを提供することにある。
【課題を解決するための手段】
【０００５】
上記課題を解決するために、本発明に係る無線通信システムは、移動体端末と、基地局と、前記移動体端末と前記基地局との間で通信される信号を中継する中継手段を含む中継装置と、を含む無線通信システムであって、前記中継装置は、前記移動体端末と前記基地局との少なくとも一方から移動体通信用の通信規約に基づいて送信される信号を受信する信号受信手段と、前記信号受信手段により受信した信号に従って、前記中継装置が接続する機器に信号を転送する信号転送手段と、前記信号受信手段により受信した信号に応じて、当該信号を、前記中継手段により中継する又は／及び前記信号転送手段により転送する、ことを決定する処理決定手段と、を含むことを特徴とする。
【０００６】
また、本発明に係る中継装置は、移動体端末と基地局との間で通信される信号を中継する中継手段を含む中継装置であって、前記移動体端末と前記基地局との少なくとも一方から移動体通信用の通信規約に基づいて送信される信号を受信する信号受信手段と、前記信号受信手段により受信した信号に従って、前記中継装置が接続する機器に信号を転送する信号転送手段と、前記信号受信手段により受信した信号に応じて、当該信号を、前記中継手段により中継する又は／及び前記信号転送手段により転送する、ことを決定する処理決定手段と、を含むことを特徴とする。
【０００７】
また、本発明に係るコンピュータの制御方法は、移動体端末と基地局との間で通信される信号を中継する中継ステップを含むコンピュータの制御方法であって、前記移動体端末と前記基地局との少なくとも一方から移動体通信用の通信規約に基づいて送信される信号を受信する信号受信ステップと、前記信号受信ステップにより受信した信号に従って、前記中継装置が接続する機器に信号を転送する信号転送ステップと、前記信号受信ステップにより受信した信号に応じて、当該信号を、前記中継ステップにより中継するのか又は／及び前記信号転送ステップにより転送するのか、を決定する処理決定ステップと、を含むことを特徴とする。
【０００８】
また、本発明に係るコンピュータを機能させるためのプログラムは、移動体端末と基地局との間で通信される信号を中継する中継手段を含むコンピュータを機能させるためのプログラムであって、前記移動体端末と前記基地局との少なくとも一方から移動体通信用の通信規約に基づいて送信される信号を受信する信号受信手段、前記信号受信手段により受信した信号に従って、前記中継装置が接続する機器に信号を転送する信号転送手段、及び、前記信号受信手段により受信した信号に応じて、当該信号を、前記中継手段により中継する又は／及び前記信号転送手段により転送する、ことを決定する処理決定手段、としてコンピュータを機能させるためのプログラムである。プログラムは、ＣＤ−ＲＯＭ（Compact Disk - Read Only Memory）、ＤＶＤ−ＲＯＭ（Digital Versatile Disk - Read Only Memory）、メモリーカードその他のあらゆるコンピュータ読み取り可能な情報記憶媒体に格納することとしてもよい。
【０００９】
本発明では、中継装置は、移動体端末と基地局との間で通信される信号を中継する中継処理を行う。また、中継装置は、移動体端末と基地局との少なくとも一方から移動体通信用の通信規約に基づいて送信される信号を受信し、受信した信号に従って、中継装置が接続する機器（例えばプリンタ等）に信号を転送する転送処理を行う。そして、中継装置は、移動体端末と基地局の少なくとも一方から無線通信で受信した信号に応じて、その受信した信号について、中継処理を行うのか、転送処理を行うのか、それとも両方を行うのかを決定し、その決定に基づいて処理を行う。
【００１０】
本発明によると、無線通信システムでは、移動体通信を行っている状態で、物理的な構成を変更することなく、受信した信号に応じて、中継装置に接続する機器にも情報を伝送することができる。
【００１１】
また、本発明の一態様では、前記中継装置は、前記信号受信手段により受信した信号を、前記機器に応じた通信規約に基づいて変換する信号変換手段をさらに含み、前記信号転送手段は、前記信号変換手段により変換した信号を前記機器に転送することを特徴とする。こうすることで、移動体通信の通信規約とは異なる通信規約で通信する機器にも情報を伝送することができる。
【００１２】
また、本発明の一態様では、前記移動体端末と前記基地局のうち少なくとも一方は、前記送信される信号に、当該信号を、前記中継手段により中継する又は／及び前記信号転送手段により転送するのか、を指定する処理指定情報を格納する手段をさらに含み、前記処理決定手段は、前記信号受信手段により受信した信号に格納された処理指定情報に基づいて、当該信号を、前記中継手段により中継する又は／及び前記信号転送手段により転送する、ことを決定することを特徴とする。こうすることで、通信される信号に格納される処理指定情報に基づいて、当該信号に応じた処理を判断することができる。
【発明を実施するための最良の形態】
【００１３】
以下、本発明の好適な実施形態について図面に基づいて詳細に説明する。
【００１４】
図１には、本発明の実施の形態に係る無線通信システムのシステム構成図を示す。図１に示されるように、無線通信システム１は、移動体端末１０、基地局２０と中継装置３０を含み構成される。各装置の概要について以下に説明する。
【００１５】
移動体端末１０は、中継装置３０を介して基地局２０と無線通信を行う装置である。移動体端末１０は、パーソナルコンピュータ、ＰＤＡ、携帯電話、ＰＨＳ等の各種の情報処理装置により構成されることとしてもよい。そして、移動体端末１０は、基地局２０と通信して、インターネット１００への情報の要求又はデータのアップロードや、インターネット１００からのデータのダウンロードを行うことができる。
【００１６】
基地局２０は、中継装置３０を介して移動体端末１０と無線通信を行う装置である。基地局２０は、ネットワークオペレーションシステム６０とインターネットサービスプロバイダ（ＩＳＰ）７０を介してインターネット１００に接続される。ネットワークオペレーションシステム６０は、基地局２０とインターネットサービスプロバイダ７０間のネットワークを総合的に管理するシステムである。また、インターネットサービスプロバイダ７０は、インターネット１００とネットワークオペレーションシステム６０とのネットワークの接続を管理する。
【００１７】
中継装置３０は、移動体端末１０と基地局２０との間を通信する信号を増幅して中継する中継増幅装置である。このような中継装置３０には、例えば本出願人による特開平８−２７４７０６号公報に記載の中継装置を用いることとしてもよい。図１に示されるように、中継装置３０はプリンタ５０と接続する。本実施形態では、中継装置３０に接続する機器はプリントサーバの機能を備えるプリンタであることとするが、これに限られるものではなく、ディスプレイ等の出力装置であってもよいし、ＨＵＢ等のネットワーク機器であってもよい。そして、中継装置３０とプリンタ５０とは、イーサネット（登録商標）等のネットワークで接続されることとするが、ＵＳＢ等によるシリアル接続がされることとしてもよい。
【００１８】
本実施形態においては、移動体端末１０から中継装置３０に対して、インターネット通信の要求を伴うデータが送信される場合には、中継装置３０は当該データを中継して基地局２０に送信する。また、移動体端末１０から中継装置３０に対して、プリント出力の要求を伴うデータ送信される場合には、中継装置３０は当該データをプリンタ５０に転送する。中継装置３０は、移動体端末１０から受信するデータに応じて、インターネット通信の要求かプリント出力の要求かを判断して、上記の振り分け処理を行う。
【００１９】
上記の処理を実現するために、本実施形態に係る無線通信システム１が備える構成について以下に説明する。
【００２０】
図２には、無線通信システム１のハードウェア構成図を示す。図２に示される各装置について、以下に説明する。
【００２１】
移動体端末１０は、無線カード１２を備えており、無線カード１２により無線信号（ＲＦ：Radio Frequency）を通信する。無線カード１２は、ｉＢｕｒｓｔやＰＨＳ等の移動体通信規格に対応するＰＣカードであることとしてもよい。ＰＣカードは、ＰＣＭＣＩＡ等の一般的なカード規格に合致するものであることとしてもよい。また、移動体端末１０は、図示しないプロセッサやメモリを含む制御部をさらに備えることとしてもよい。また、基地局２０は、図２に示されるように、無線アンテナ２２を備えており、無線アンテナ２２により無線信号を通信する。
【００２２】
そして、中継装置３０は、物理的な構成として、移動体側無線アンテナ３２、基地局側無線アンテナ３４、増幅器３６、プロセッサ３８、メモリ４０とネットワークインターフェース４２を含む。各部は、バス４４を介して相互に通信可能に接続される。
【００２３】
移動体側無線アンテナ３２と基地局側無線アンテナ３４はともに、無線信号を通信するための無線アンテナである。移動体側無線アンテナ３２は、移動体端末１０の無線カード１２と通信を行い、基地局側無線アンテナ３４は、基地局２０の無線アンテナ２２と通信を行う。そして、増幅器３６は、移動体側無線アンテナ３２と基地局側無線アンテナ３４で受信される上り方向（移動体端末１０から基地局２０側）の信号と下り方向（基地局２０から移動体端末１０側）の信号を増幅して伝送する。
【００２４】
プロセッサ３８は、図示しないＲＯＭに格納される制御プログラムやメモリ４０から読み出されるプログラムに基づいて、中継装置３０の各部を制御する。また、メモリ４０は、プログラムやデータが必要に応じて書き込まれるとともに、プロセッサ３８の作業用としても用いられる。
【００２５】
図３には、無線通信システム１の機能ブロック図を示す。図３（Ａ）には、移動体端末１０の機能ブロック図を、図３（Ｂ）には中継装置３０の機能ブロック図を示す。本実施形態では、基地局２０は、中継装置３０から無線信号を受信する通常の基地局として機能するため、基地局２０についての機能ブロック図は省略する。
【００２６】
図３（Ａ）に示されるように、移動体端末１０は、機能的には、通信データ生成部１１０、処理指定情報付加部１１２と移動体通信部１１４を含み構成される。各部の機能の詳細について、以下に説明する。
【００２７】
通信データ生成部１１０は、中継装置３０に向けて送信する通信データを生成する機能を有する。本実施形態において、移動体端末１０が生成する通信データのスロット割り当ての一例を図４に示す。図４（Ａ）には、１フレーム当りのフレーム構成を示す。図４（Ａ）に示されるように、１フレームは、上りのタイムスロット数がスロット１Ａ，２Ａ，３Ａの３つ、下りのタイムスロット数がスロット１Ｂ，２Ｂ，３Ｂの３つ、の計６つのタイムスロットから構成される。上りと下りのタイムスロットの間には、通信の安定化を図るためのガードタイムが設けられる。また、上りと下りのスロット長は非対称構成となっているが、各スロットの構成は同じであるため、以下ではスロット１Ａを用いて、スロットのデータ構成の詳細について説明する。
【００２８】
図４（Ｂ）には、スロット１Ａのデータ構成を示す。図４（Ｂ）に示されるように、スロット１Ａは、ランプアップ２００（Ramp-up）、トレーニングシンボル２０２（Training Symbols）、インフォメーションシンボル２０４（Information Symbols）、トレーニングシンボル２０６、ランプダウン２０８（Ramp-down）とガードタイム２１０（Guard Time）により構成される。ランプアップ２００は通信の立ち上げ時の信号であり、トレーニングシンボル２０２，２０６は通信の同期の確立のための信号である。そして、インフォメーションシンボル２０４は、通信の実体データを示す信号である。インフォメーションシンボル２０４の信号の最初には、ヘッダ２０４ａが設けられる。ヘッダ２０４ａには、通信の設定情報等が格納される。また、ランプダウン２０８は通信の終了を示す信号であり、ガードタイム２１０はスロット間の通信間隔を確保するための時間である。なお、ランプアップ２００、トレーニングシンボル２０２，２０６、ランプダウン２０８とガードタイム２１０は、通信を安定化させるためのガードバンドとして機能するものであり、通信の実体データは格納されない。
【００２９】
処理指定情報付加部１１２は、中継装置３０に送信する通信データを中継するか、中継装置３０に接続する機器に転送するか、について指定する情報を通信データに付加する機能を有する。本実施形態においては、処理指定情報付加部１１２は、通信データのインフォメーションシンボルの最初に設けられたヘッダに、信号をどのように処理するかを指示する処理指定情報を付加する。処理指定情報は、例えば、ブーリアン型の変数により構成されるフラグにより実現されることとしてもよい。この場合には、通信データを中継装置３０において中継させる場合には、プロセッサはフラグの値に０を設定し、通信データを中継装置３０に接続するプリンタ５０に出力したい場合には、プロセッサはフラグの値に１を設定することとしてもよい。そして、処理指定情報付加部１１２は、処理指定情報を付加した通信データを移動体通信部１１４に転送する。なお、処理指定情報付加部１１２は、無線カード１２のドライバソフトウェアにより実現されることとしてもよい。
【００３０】
移動体通信部１１４は、中継装置３０と移動体通信用の通信規約で通信する機能を有する。本実施形態では、移動体通信用の通信規約にｉＢｕｒｓｔプロトコルを用いることとするが、これに限られるものではなく、ＰＩＡＦＳ、ＷＣＤＭＡ、ＣＤＭＡ２０００等の公知の移動体通信用の通信規約を用いることとしてもよい。移動体通信部１１４は、処理指定情報付加部１１２により処理指定情報が付加された通信データを、中継装置３０に送信する。移動体通信部１１４は、移動体端末１０の無線カード１２により実現される機能である。
【００３１】
図３（Ｂ）に示されるように、中継装置３０は、機能的には、移動体通信部１２０、制御部１２２、信号増幅部１２４、通信規約変換部１２６、ローカルネットワーク通信部１２８と処理決定部１３０を含み構成される。各部の機能の詳細について、以下に説明する。
【００３２】
移動体通信部１２０は、移動体端末１０および基地局２０と移動体通信用の通信規約で通信する機能を有する。移動体通信部１２０は、中継装置３０の移動体側無線アンテナ３２と基地局側無線アンテナ３４により実現される機能である。移動体通信部１２０は、移動体側無線アンテナ３２により移動体端末１０と通信し、基地局側無線アンテナ３４により基地局２０と通信する。
【００３３】
制御部１２２は、中継装置３０の各部の制御や各処理のタイミングの制御を行う機能を有する。制御部１２２は、中継装置３０のプロセッサ３８、メモリ４０と図示しないＲＯＭに格納される制御プログラムにより実現される機能である。
【００３４】
信号増幅部１２４は、移動体通信部１２０で受信した信号を増幅する機能を有する。信号増幅部１２４は、上り方向（移動体端末１０から基地局２０側）の信号と下り方向（基地局２０から移動体端末１０側）の信号をそれぞれ増幅する。信号増幅部１２４は、中継装置３０の増幅器３６により実現される機能である。
【００３５】
通信規約変換部１２６は、移動体通信部１２０により受信した信号の通信規約を、中継装置３０が接続する機器に応じた通信規約に変換する機能を有する。例えば、移動体端末１０、中継装置３０、基地局２０の間で通信される無線の通信規約がｉＢｕｒｓｔプロトコルであり、中継装置３０とプリンタ５０との通信規約がＴＣＰ／ＩＰであるとすると、プロセッサ３８は、受信した信号の通信規約をｉＢｕｒｓｔプロトコルからＴＣＰ／ＩＰに変換する。通信規約変換部１２６には、変換すべき通信規約の対応が予め設定されていることとしてもよいし、メモリ４０内に処理指定情報に指定される処理と変換すべき通信規約とを対応付けたテーブルを予め作成しておき、プロセッサ３８が上記テーブルを参照して変換すべき通信規約を取得することとしてもよい。
【００３６】
ローカルネットワーク通信部１２８は、中継装置３０に接続する機器と通信する機能を有する。ローカルネットワーク通信部１２８は、通信規約変換部１２６で通信規約を変換した信号を、プリンタ５０に送信する。ローカルネットワーク通信部１２８は、中継装置３０のネットワークインターフェース４２により実現される機能である。
【００３７】
処理決定部１３０は、移動体通信部１２０により受信した信号に応じて、当該信号を、中継するか、中継装置３０と接続する機器に転送するか、について決定する機能を有する。処理決定部１３０は、中継装置３０のハードウェアを用いて以下のように実現される。移動体通信部１２０で受信した通信データに対して、プロセッサ３８は、当該通信データのデータ構造の中から、インフォメーションシンボルに該当する信号のヘッダを参照し、当該ヘッダに格納されるフラグの値を取得する。そして、プロセッサ３８は、取得したフラグの値が０である場合には、当該通信データを中継するものとしてデータ増幅部に伝送し、フラグの値が１である場合には、当該通信データをプリンタ５０に転送するものとして通信規約変換部１２６に伝送する。
【００３８】
以下、本発明の実施の形態に係る無線通信システム１における信号の振り分け処理の詳細について説明する。
【００３９】
図５には、本発明の実施の形態に係る無線通信システム１における信号の振り分け処理のフロー図を示す。図５において、破線で囲まれた処理（Ｓ１０１、Ｓ１０２）は、移動体端末１０における処理であり、それ以外の処理（Ｓ１０３以降）は、中継装置３０における処理である。図５に示されるように、移動体端末１０は、通信データに処理指定情報の付加を行う（Ｓ１０１）。本実施形態では、処理指定情報の付加は、通信データのインフォメーションシンボルのヘッダ部分に処理指定情報を格納することで行う。移動体端末１０は無線カード１２のドライバソフトウェアにより、ユーザーインターフェースからのユーザーの操作入力信号に基づいて移動体端末１０がインターネット通信を要求する場合には、通信データのヘッダに０を格納し、同操作入力信号に基づいて移動体端末１０がプリント出力を要求する場合には、通信データのヘッダに１を格納することとする。そして、移動体端末１０は、処理指定情報を付加した通信データを中継装置３０に対して送信する（Ｓ１０２）。
【００４０】
中継装置３０は、移動体端末１０から送信される通信データを受信する（Ｓ１０３）。そして、中継装置３０は、受信した通信データのヘッダを解析し（Ｓ１０４）、当該通信データを中継するのか、それともプリンタ５０に出力するのか判断する（Ｓ１０５）。Ｓ１０５の判断は、通信データのヘッダに０が格納されている場合には、通信データを中継処理に供すると判断し、ヘッダに１が格納されている場合には、通信データをプリント出力に供すると判断する。そして、中継装置３０は、通信データを中継処理に供すると判断した場合には（Ｓ１０５；Ｙ）、通信データの信号を増幅し（Ｓ１０６）、増幅した信号を基地局２０に送信する（Ｓ１０７）。また、中継装置３０は、通信データをプリント出力に供すると判断した場合には（Ｓ１０５；Ｎ）、通信データの通信規約をＴＣＰ／ＩＰに変換して（Ｓ１０８）、プリンタ５０に転送する（Ｓ１０９）。
【００４１】
以上説明した本発明の実施の形態に係る無線通信システムによれば、移動体通信を行っている状態で、物理的な構成を変更することなく、移動体通信の通信規約とは異なる通信規約で通信する機器にも情報を伝送することができる。
【００４２】
なお、本発明は上記実施形態に限定されるものではない。
【００４３】
上記実施形態の変形例として、本発明に係る無線通信システム１において、インターネットからダウンロードする通信データ、つまり基地局２０から中継装置３０に無線通信される通信データを、中継装置３０が移動体端末１０に中継するのか、プリンタ５０に出力するのかを決定して処理することとしてもよい。その場合には、処理指定情報付加部１１２の機能を基地局２０又はネットワークオペレーションシステム６０が備えることとする。そして、上記変形例において更に、移動体端末１０から中継装置３０に対して、所定の設定（接続先、更新内容、プリント内容、プリント期間、プリント書式、ウェブサイト名、検索キーワード等）を送信し、上記所定の設定に基づいてネットワークオペレーションシステム６０がインターネットから取得したコンテンツよりなる通信データを中継装置３０に送信することとしてもよい。この場合には、中継装置３０は、上記所定の設定に合致した場合に、受信した通信データの通信規約をＴＣＰ／ＩＰに変換してプリント出力することとしてもよい。
【００４４】
また、上記実施形態の別の変形例として、本発明に係る無線通信システム１において、移動体端末１０がインターネットから通信データをダウンロードする場合に、ダウンロードと並行して当該通信データをプリンタ５０に転送してプリント出力できるようにしてもよい。この場合には、処理指定情報として通信データにおけるインフォメーションシンボルのヘッダ部分に２ビットの情報格納領域を設け、その値が「００」であれば中継のみ、「０１」であればプリンタ５０に転送のみ、「１０」であれば中継とプリンタ５０に転送を同時に行うこととして処理することとしてもよい。
【００４５】
また、処理指定情報は上記に例として挙げたものに限られるものではなく、さらに情報量を多くすることとしてもよい。その場合には、例えば、処理指定情報に通信データを転送する機器のアドレスを指定する情報を含むようにしてもよい。
【００４６】
また、本発明に係る無線通信システム１において、プリンタ５０がプリントサーバの機能を持つこととしたが、中継装置がプリントサーバ機能を備え、移動体端末１０と基地局２０から通信される印刷データを中継装置のプリントサーバにスプールして順次処理することとしてもよい。
【図面の簡単な説明】
【００４７】
【図１】本発明の実施の形態に係る無線通信システムのシステム構成図である。
【図２】無線通信システムのハードウェア構成図である。
【図３】無線通信システムの機能ブロック図である。
【図４】通信データのスロット割り当ての一例を示す図である。
【図５】無線通信システムにおける信号の振り分け処理のフロー図である。
【符号の説明】
【００４８】
１  無線通信システム、１０  移動体端末、１２  無線カード、２０  基地局、２２  無線アンテナ、３０  中継装置、３２  移動体側無線アンテナ、３４  基地局側無線アンテナ、３６  増幅器、３８  プロセッサ、４０  メモリ、４２  ネットワークインターフェース、４４  バス、５０  プリンタ、６０  ネットワークオペレーションシステム、７０  インターネットサービスプロバイダ、１００  インターネット、１１０  通信データ生成部、１１２  処理指定情報付加部、１１４  移動体通信部、１２０  移動体通信部、１２２  制御部、１２４  信号増幅部、１２６  通信規約変換部、１２８  ローカルネットワーク通信部、１３０  処理決定部、２００  ランプアップ、２０２，２０６  トレーニングシンボル、２０４  インフォメーションシンボル、２０４ａ  ヘッダ、２０８  ランプダウン、２１０  ガードタイム。
【図１】
2007174502.tif 000003
【図２】
2007174502.tif 000004
【図３】
2007174502.tif 000005
【図４】
2007174502.tif 000006
【図５】
2007174502.tif 000007